(57)【要約】【課題】快適性をより高めることができる空気調和機を提供する。【解決手段】空気調和機２０は、第１送風機２３及び第２送風機２６と、ユーザの首元に向けて第１送風機２３からの風を吹き付ける第１風向部２５及びユーザの腰に向けて第２送風機２６からの風を吹き付ける第２風向部２８とを備える。【選択図】図４
2019143954.tif 000002
【特許請求の範囲】
【請求項１】
送風機（２３，２６）と、
ユーザの首元及び腰の少なくとも一方に向けて前記送風機（２３，２６）からの風を吹き付ける風向部（２５，２８）と
を備える
空気調和機（２０）。
【請求項２】
前記風向部（２５）は、前記ユーザの首元として、前記ユーザの後頚部に向けて風を吹き付けるように構成された第１風向部（２５）を有する
請求項１に記載の空気調和機。
【請求項３】
前記風向部（２５）は、前記ユーザの首元に向けて前記送風機（２３）から風を吹き付けるように構成された第１風向部（２５）を有し、
前記送風機（２３）が所定時間以上継続して駆動して前記第１風向部（２５）から前記ユーザの首元に風を吹き付ける場合において、前記所定時間における前記第１風向部（２５）から吹き付けられる風の平均風速は、０．３０ｍ／ｓ以下である
請求項１又は２に記載の空気調和機。
【請求項４】
前記平均風速は、０．２０ｍ／ｓ以上である
請求項３に記載の空気調和機。
【請求項５】
前記風向部（２８）は、前記ユーザの腰に向けて前記送風機（２６）から風を吹き付けるように構成された第２風向部（２８）を有し、
前記送風機（２６）が所定時間以上継続して駆動して前記第２風向部（２８）から前記ユーザの腰に風を吹き付ける場合において、前記所定時間における前記第２風向部（２８）から吹き付けられる風の平均風速は、０．７５ｍ／ｓ以下である
請求項１〜４のいずれか一項に記載の空気調和機。
【請求項６】
前記平均風速は、０．６５ｍ／ｓ以上である
請求項５に記載の空気調和機。
【請求項７】
前記送風機は、第１送風機（２３）及び第２送風機（２６）を有し、
前記風向部は、前記ユーザの首元に向けて前記第１送風機（２３）から風を吹き付けるように構成された第１風向部（２５）と、前記ユーザの腰に向けて前記第２送風機（２６）から風を吹き付けるように構成された第２風向部（２８）とを有する
請求項１〜６のいずれか一項に記載の空気調和機。
【発明の詳細な説明】
【技術分野】
【０００１】
本発明は、空気調和機に関する。
【背景技術】
【０００２】
特許文献１の空気調和機では、室内機が１台のファンと、気流の吹き出し方向を変更する複数の風向板と、室内空間の温度を検出する赤外線センサとを有し、赤外線センサによって部屋に居る複数人の位置や活動状態を検出し、その位置に適切な気流を供給する構成が開示されている。
【先行技術文献】
【特許文献】
【０００３】
【特許文献１】特開２０１３−２３８３９７号公報
【発明の概要】
【発明が解決しようとする課題】
【０００４】
ところで、従来、例えばオフィス環境における作業者の快適性については、特にオフィス環境における特定の作業者に供給する気流を高精度に追及した空気調和機が存在しなかった。特許文献１においても、空気調和機が赤外線センサの検出情報から人の位置を特定し、その位置に適した気流を供給するに留まっている。しかし、本願発明者は、作業者の快適性を追及すると気流を提供する身体の部位や風速の制御が重要であることを検証から見出した。
【０００５】
本発明の目的は、快適性をより高めることができる空気調和機を提供することである。
【課題を解決するための手段】
【０００６】
この課題を解決する空気調和機は、送風機と、ユーザの首元及び腰の少なくとも一方に向けて前記送風機からの風を吹き付ける風向部とを備える。
本願発明者は、ユーザの首元や腰に風を吹き付けるとユーザがリラックスし易くなり、その結果、快適性が向上することを見出した。そこで、本空気調和機は、風向部によって送風機からの風をユーザに対して狙った箇所（所定部位）である首元及び腰の少なくとも一方に吹き付ける。したがって、ユーザの快適性をより高めることができる。
【０００７】
上記空気調和機において、前記風向部は、前記ユーザの首元として、前記ユーザの後頚部に向けて風を吹き付けるように構成された第１風向部を有することが好ましい。
ユーザの首元として、前頚部よりも後頚部に風が吹き付けられるほうがユーザはリラックスし易い。このため、第１風向部がユーザの後頚部に向けて送風機の風を吹き付けることにより、ユーザがリラックスし易くなる。
【０００８】
上記空気調和機において、前記風向部は、前記ユーザの首元に向けて前記送風機から風を吹き付けるように構成された第１風向部を有し、前記送風機が所定時間以上継続して駆動して前記第１風向部から前記ユーザの首元に風を吹き付ける場合において、前記所定時間における前記第１風向部から吹き付けられる風の平均風速は、０．３０ｍ／ｓ以下であることが好ましい。
【０００９】
この構成によれば、第１風向部からユーザの首元に吹き付けられる風の所定時間における平均風速が０．３０ｍ／ｓ以下であることにより、首元に吹き付けられる風に起因してユーザの快適性を向上させることができる。
【００１０】
上記空気調和機において、前記平均風速は、０．２０ｍ／ｓ以上であることが好ましい。
この構成によれば、第１風向部からユーザの首元に吹き付けられる風の所定時間における平均風速が０．２０ｍ／ｓ以上であることにより、首元に吹き付けられる風に起因してユーザの快適性を向上させることができる。
【００１１】
上記空気調和機において、前記風向部は、前記ユーザの腰に向けて前記送風機から風を吹き付けるように構成された第２風向部を有し、前記送風機が所定時間以上継続して駆動して前記第２風向部から前記ユーザの腰に風を吹き付ける場合において、前記所定時間における前記第２風向部から吹き付けられる風の平均風速は、０．７５ｍ／ｓ以下であることが好ましい。
【００１２】
この構成によれば、第２風向部からユーザの腰に吹き付けられる風の所定時間における平均風速が０．７５ｍ／ｓ以下であることにより、腰に吹き付けられる風に起因してユーザの快適性を向上させることができる。
【００１３】
上記空気調和機において、前記平均風速は、０．６５ｍ／ｓ以上であることが好ましい。
この構成によれば、第２風向部からユーザの腰に吹き付けられる風の所定時間における平均風速が０．６５ｍ／ｓ以上であることにより、腰に吹き付けられる風に起因してユーザの快適性を向上させることができる。
【００１４】
上記空気調和機において、前記送風機は、第１送風機及び第２送風機を有し、前記風向部は、前記ユーザの首元に向けて前記第１送風機から風を吹き付けるように構成された第１風向部と、前記ユーザの腰に向けて前記第２送風機から風を吹き付けるように構成された第２風向部とを有することが好ましい。
【００１５】
この構成によれば、ユーザの首元に向けて吹き付ける風及びユーザの腰に向けて吹き付ける風を個別に設定することができる。したがって、例えばユーザの首元及び腰に同時に風を吹き付けた場合、ユーザの首元に吹き付けるのに適した平均風速の風を第１風向部から吐出することができ、ユーザの腰に吹き付けるのに適した平均風速の風を第２風向部から吐出することができる。
【発明の効果】
【００１６】
本発明の空気調和機は、快適性をより高めることができる。
【図面の簡単な説明】
【００１７】
【図１】空気調和機を備える椅子の一実施形態の正面図。
【図２】図１の椅子の後方から見た斜視図。
【図３】図１の第１風向部及びその周辺を拡大した背もたれの断面図。
【図４】図１の椅子にユーザが着座した状態の椅子の側面図。
【図５】図１の椅子の平面図。
【発明を実施するための形態】
【００１８】
図１〜図５を参照して、空気調和機２０を備える椅子１について説明する。なお、以下の説明において、椅子１を正面から見て左右方向を「左右方向Ｘ」と規定し、前後方向を「前後方向Ｙ」と規定し、高さ方向を「高さ方向Ｚ」と規定する。
【００１９】
図１に示すように、椅子１は、一人用の椅子であり、ユーザが着座可能な座部１０と、ユーザの背中を支持する背もたれ１１と、座部１０及び背もたれ１１と連結した一対の支持部１２とを有する。一対の支持部１２は、座部１０及び背もたれ１１を左右方向Ｘの両側から挟むように設けられている。支持部１２は、高さ方向Ｚにおいて座部１０よりも上方部分の肘掛部１３と、座部１０よりも下方部分の脚部１４とを有する。すなわち、椅子１は、座部１０よりも下方部分に空間１５を有する。このような椅子１は、例えば椅子１の骨組みを構成する金属製のフレームと、座部１０、背もたれ１１、及び一対の支持部１２を構成するフレームで囲まれた部分を充填するように設けられたスポンジ材（緩衝材）と、フレーム及びスポンジ材を覆うカバー部１６とを有する。カバー部１６は、例えば布が用いられる。
【００２０】
椅子１は、例えば設置面Ｆに固定されるものではなく、持ち運び可能に構成されている。例えば、脚部１４にキャスターが設けられることにより、椅子１はより容易に持ち運び可能となる。
【００２１】
図１に示すとおり、椅子１には、空気調和機２０が一体に設けられている。すなわち空気調和機２０は、例えばユーザが椅子１を持ち運ぶときに空気調和機２０も併せて持ち運ぶことができるように構成されている。空気調和機２０は、ユーザの首元に向けて風を吹き付ける第１送風機構２１と、ユーザの腰に向けて風を吹き付ける第２送風機構２２とを有する。
【００２２】
図２に示すように、第１送風機構２１は、第１送風機２３、第１配管２４、及び第１風向部２５を有する。第２送風機構２２は、第２送風機２６、第２配管２７、及び第２風向部２８を有する。
【００２３】
第１送風機２３及び第２送風機２６は、座部１０よりも下方の空間１５において座部１０よりも後方となるように配置されている。第１送風機２３及び第２送風機２６は、例えばシロッコファンが用いられる。第１送風機２３及び第２送風機２６は、前後方向Ｙにおいて同じ位置に、かつ左右方向Ｘにおいて間隔をあけて配置されている。本実施形態では、第１送風機２３及び第２送風機２６は、左右方向Ｘの一方に吸入口が開口するように配置されている。なお、図４では、便宜上、第２送風機２６が座部１０の下方に配置された図となっているが、実際には座部１０よりも後方に配置されている。
【００２４】
第１送風機２３の吐出口には、第１配管２４が接続されている。第１配管２４は、第１送風機２３から背もたれ１１の上部まで延び、背もたれ１１の内部に設けられている。第１配管２４は、背もたれ１１の内部において右配管部２４Ｒ及び左配管部２４Ｌに分岐する。右配管部２４Ｒは、背もたれ１１の左右方向Ｘの中心よりも右側部分に位置し、上方に向けて延びている。左配管部２４Ｌは、背もたれ１１の左右方向Ｘの中心よりも左側部分に位置し、上方に向けて延びている。右配管部２４Ｒは、背もたれ１１の右端よりも左右方向Ｘの中心寄りに位置し、左配管部２４Ｌは、背もたれ１１の左端よりも左右方向Ｘの中心寄りに位置している。
【００２５】
第１風向部２５は、右側風向部２５Ｒ及び左側風向部２５Ｌを有する。右側風向部２５Ｒは、右配管部２４Ｒの上端部に取り付けられ、左側風向部２５Ｌは、左配管部２４Ｌの上端部に取り付けられている。
【００２６】
右側風向部２５Ｒ及び左側風向部２５Ｌは、ユーザの首元に向けて第１送風機２３からの風を吹き付けるように構成されている。本実施形態では、右側風向部２５Ｒ及び左側風向部２５Ｌは、ユーザの後頚椎に向けて第１送風機２３からの風を吹き付けるように構成されている。より詳細には、右側風向部２５Ｒ及び左側風向部２５Ｌは、左右方向Ｘの側面視においてＬ字状に形成された所謂エルボ配管であり、その吐出口２５Ａが前方に向けて開口するように構成されている。
【００２７】
図３に示すように、右側風向部２５Ｒの吐出口２５Ａは、背もたれ１１においてユーザの背中を支持する前面１１Ａよりも所定距離分だけ背もたれ１１の内部に位置するように背もたれ１１に設けられている。また本実施形態では、右側風向部２５Ｒと前面１１Ａとの間にはスポンジ材（緩衝材）が存在しないが、カバー部１６は存在する。なお、左側風向部２５Ｌと背もたれ１１との関係は、上述の右側風向部２５Ｒと背もたれ１１との関係と同様である。
【００２８】
第２送風機２６の吐出口には、第２配管２７が接続されている。第２配管２７は、第２送風機２６から座部１０の後端部まで延びている。第２配管２７は、座部１０の後端部において右配管部２７Ｒ及び左配管部２７Ｌに分岐する。右配管部２７Ｒは、椅子１の左右方向Ｘの中心から上方に向かうにつれて右方向に向けて延びている。左配管部２７Ｌは、椅子１の左右方向Ｘの中心から上方に向かうにつれて左方向に向けて延びている。
【００２９】
第２風向部２８は、右側風向部２８Ｒ及び左側風向部２８Ｌを有する。右側風向部２８Ｒは、右配管部２７Ｒの先端部に取り付けられ、左側風向部２８Ｌは、左配管部２７Ｌの先端部に取り付けられている。
【００３０】
右側風向部２８Ｒ及び左側風向部２８Ｌは、ユーザの腰に向けて第２送風機２６からの風を吹き付けるように構成されている。より詳細には、右側風向部２８Ｒ及び左側風向部２８Ｌは、右側風向部２５Ｒ及び左側風向部２５Ｌと同様の形状である。右側風向部２８Ｒ及び左側風向部２８Ｌはそれぞれ、その吐出口２８Ａが前方に向けて開口するように構成されている。
【００３１】
図１から分かるとおり、右配管部２７Ｒが第１配管２４の右配管部２４Ｒよりも椅子１の右端側に位置するため、右側風向部２８Ｒは、第１風向部２５の右側風向部２５Ｒよりも椅子１の右端側に位置している。また左配管部２７Ｌが第１配管２４の左配管部２４Ｌよりも椅子１の左端側に位置するため、左側風向部２８Ｌは、第１風向部２５の左側風向部２５Ｌよりも椅子１の左端側に位置している。これにより、ユーザの腰に風を吹き付ける左右方向Ｘの範囲を広げることができる。
【００３２】
また図４に示すように、第１風向部２５の各風向部２５Ｒ，２５Ｌは、ユーザの後頚椎と対向する背もたれ１１の箇所に設けられている。第２風向部２８の各風向部２８Ｒ，２８Ｌは、ユーザの腰と対向する座部１０と背もたれ１１との間の部分に設けられている。
【００３３】
ところで、例えばオフィス環境でユーザが仕事に従事にしている場合、約１０分の休憩時間が規定されていることが多い。本実施形態の椅子１は、約１０分の休憩時間にユーザをリラックスさせて快適性を向上させるものである。この椅子１は、ユーザが仕事中に着座してもよいし、休憩時間にユーザが着座してもよい。
【００３４】
椅子１は、ユーザが座部１０に着座した状態において、所定時間（例えば約１０分）にわたり継続して各送風機２３，２６を駆動させてユーザの首元及び腰の少なくとも一方に向けて各送風機２３，２６からの風を吹き付ける。
【００３５】
ここで、本願発明者は、第１送風機２３が所定時間にわたり継続して駆動して第１風向部２５からユーザの首元に風を吹き付ける場合に各風向部２５Ｒ，２５Ｌからユーザの首元に吹き付けられる風の所定時間における平均風速を決めるために第１試験を行った。この試験では、１０人のユーザを対象として、室温が約２５度で所定の平均風速を０．２ｍ／ｓ、０．２５ｍ／ｓ、０．３ｍ／ｓ、０．３５ｍ／ｓ、及び０．４ｍ／ｓの５パターンについて約１０分間にわたり第１送風機２３を継続して駆動させてユーザの首元に風を吹き付けた。そしてユーザが快適と感じる平均風速についてアンケートした。
【００３６】
また本願発明者は同様に、第２送風機２６が所定時間にわたり継続して駆動して第２風向部２８からユーザの腰に風を吹き付ける場合に各風向部２８Ｒ，２８Ｌからユーザの腰に吹き付けられる風の所定時間における平均風速を決めるために第２試験を行った。この試験も１０人のユーザを対象として室温が約２５度で行った。第２試験では、平均風速を０．５ｍ／ｓ、０．６ｍ／ｓ、０．７ｍ／ｓ、０．８ｍ／ｓ、及び０．９ｍ／ｓの５パターンについて約１０分間にわたり第２送風機２６を継続して駆動させてユーザの腰に風を吹き付けた。そしてユーザが快適と感じる平均風速についてアンケートした。
【００３７】
その結果、第１風向部２５からユーザの首元に風を吹き付ける場合に各風向部２５Ｒ，２５Ｌからユーザの首元に吹き付けられる風の所定時間における平均風速が０．２ｍ／ｓ以上かつ０．３ｍ／ｓ以下の範囲であるときに快適と感じるユーザが多かった。また第２風向部２８からユーザの腰に風を吹き付ける場合に各風向部２８Ｒ，２８Ｌからユーザの腰に吹き付けられる風の所定時間における平均風速が０６５ｍ／ｓ以上かつ０．７０ｍ／ｓ以下の範囲であるときに快適と感じるユーザが多かった。
【００３８】
そこで、本実施形態では、第１送風機２３が所定時間以上継続して駆動して第１風向部２５からユーザの首元に風を吹き付ける場合において、第１風向部２５の各風向部２５Ｒ，２５Ｌからユーザの首元に吹き付けられる風の所定時間における平均風速が０．３０ｍ／ｓ以下となるように設定されている。また第１風向部２５の各風向部２５Ｒ，２５Ｌからユーザの首元に吹き付けられる風の所定時間における平均風速が０．２０ｍ／ｓ以上となるように設定されている。
【００３９】
また第２送風機２６が所定時間以上継続して駆動して第２風向部２８からユーザの腰に風を吹き付ける場合において、第２風向部２８の各風向部２８Ｒ，２８Ｌからユーザの腰に吹き付けられる風の所定時間における平均風速が０．７０ｍ／ｓ以下となるように設定されている。また第２風向部２８の各風向部２８Ｒ，２８Ｌからユーザの腰に吹き付けられる風の所定時間における平均風速が０．６５ｍ／ｓ以上となるように設定されている。
【００４０】
図５に示すように、座部１０には、生体情報検出部３０が設けられている。生体情報検出部３０は、感圧チューブ３１を用い、座部１０にユーザが着座したときのユーザの脈拍等の振動を検出する。生体情報検出部３０としては、例えばＷＯ２０１７／１９５２３４号公報の生体情報取得装置を用いることができる。このため、本実施形態の生体情報検出部３０の構成及び検出原理は、上記生体情報取得装置と同様である。これにより、ユーザが座部１０に着座することにより、ユーザの心拍数、心拍間隔のゆらぎ等を検出することができる。生体情報検出部３０は、例えば心拍間隔のゆらぎからユーザのストレス度合を検出することができる。
【００４１】
本実施形態によれば、以下の効果を得ることができる。
（１）本願発明者は、ユーザの首元や腰に風を吹き付けるとユーザがリラックスし易くなり、その結果、ユーザの快適性が向上することを試験等から見出した。そこで、本実施形態の空気調和機２０は、第１風向部２５及び第２風向部２８によってユーザの首元及び腰の少なくとも一方に向けて風を吹き付ける。したがって、ユーザの快適性をより高めることができる。
【００４２】
（２）ユーザの首元として、前頚椎よりも後頚椎に風が吹き付けられるほうがユーザはリラックスし易い。そこで、本実施形態の空気調和機２０は、第１風向部２５によってユーザの後頚椎に風を吹き付ける。これにより、ユーザがよりリラックスし易くなる。
【００４３】
（３）第１送風機２３が所定時間以上継続して駆動して第１風向部２５からユーザの首元に風を吹き付ける場合において、第１風向部２５の各風向部２５Ｒ，２５Ｌからユーザの首元に吹き付けられる風の所定時間における平均風速が０．３０ｍ／ｓ以下である。この構成によれば、首元に吹き付けられる風に起因してユーザの快適性を向上させることができる。
【００４４】
（４）第１送風機２３が所定時間以上継続して駆動して第１風向部２５からユーザの首元に風を吹き付ける場合において、第１風向部２５の各風向部２５Ｒ，２５Ｌからユーザの首元に吹き付けられる風の所定時間における平均風速が０．２０ｍ／ｓ以上である。この構成によれば、首元に吹き付けられる風に起因してユーザの快適性を向上させることができる。
【００４５】
（５）第２送風機２６が所定時間以上継続して駆動して第２風向部２８からユーザの腰に風を吹き付ける場合において、第２風向部２８の各風向部２８Ｒ，２８Ｌからユーザの腰に吹き付けられる風の所定時間における平均風速が０．７０ｍ／ｓ以下である。この構成によれば、腰に吹き付けられる風に起因してユーザの快適性を向上させることができる。
【００４６】
（６）第２送風機２６が所定時間以上継続して駆動して第２風向部２８からユーザの腰に風を吹き付ける場合において、第２風向部２８の各風向部２８Ｒ，２８Ｌからユーザの腰に吹き付けられる風の所定時間における平均風速が０．６５ｍ／ｓ以上である。この構成によれば、腰に吹き付けられる風に起因してユーザの快適性を向上させることができる。
【００４７】
（７）空気調和機２０は、第１送風機構２１及び第２送風機構２２を有する。この構成によれば、ユーザの首元に向けて吹き付ける風及びユーザの腰に向けて吹き付ける風を個別に設定することができる。したがって、例えばユーザの首元及び腰に同時に風を吹き付けた場合、ユーザの首元に吹き付けるのに適した平均風速の風を第１風向部から吐出することができ、ユーザの腰に吹き付けるのに適した平均風速の風を第２風向部から吐出することができる。
【００４８】
（変形例）
上記実施形態に関する説明は、本発明に従う空気調和機が取り得る形態の例示であり、その形態を制限することを意図していない。本発明に従う空気調和機は、上記実施形態以外に例えば以下に示される変形例、及び相互に矛盾しない少なくとも２つの変形例が組み合せられた形態を取り得る。
【００４９】
・上記実施形態の椅子１は、空気調和機２０を操作するリモコンを備えていてもよい。ユーザがリモコンを操作することにより、第１送風機２３及び第２送風機２６を個別に制御できる。すなわち、ユーザがリモコンを操作することにより、空気調和機２０の運転及び停止を切り替えることができる。また空気調和機２０の運転として次の３パターンに切り替えることができる。すなわち第１のパターンは、第１送風機２３が駆動し、第２送風機２６が停止するパターンである。つまり、第１のパターンは、第１送風機２３からの風をユーザの首元に向けて吹き付け、第２送風機２６からの風をユーザの腰に向けて吹き付けないパターンである。第２のパターンは、第１送風機２３が停止し、第２送風機２６が駆動するパターンである。つまり、第２のパターンは、第１送風機２３からの風をユーザの首元に向けて吹き付けず、第２送風機２６からの風をユーザの腰に吹き付けるパターンである。第３のパターンは、第１送風機２３及び第２送風機２６がともに駆動するパターンである。つまり、第３のパターンは、第１送風機２３からの風をユーザの首元に向けて吹き付け、第２送風機２６からの風をユーザの腰に向けて吹き付けるパターンである。
【００５０】
・上記変形例において、リモコンに代えて、ユーザのスマートフォンやタブレット等によって空気調和機２０の第１送風機２３及び第２送風機２６を個別に制御してもよい。この場合、ユーザは、例えばスマートフォンに空気調和機２０を制御するためのアプリをダウンロードし、このダウンロードしたアプリを用いて空気調和機２０を操作する。
【００５１】
・上記実施形態の空気調和機２０は、各送風機２３，２６を所定時間にわたり継続して駆動させる場合において、所定時間のうちの特定時間における各送風機２３，２６の風速を変更してもよい。一例では、約１０分にわたり各送風機２３，２６が継続して駆動する場合、最後の約１分における各送風機２３，２６の風速を高くする。この構成によれば、最後の約１分において各送風機２３，２６の風速を高くすることにより、ユーザが椅子１の使用中に睡眠した場合にユーザの意識を覚醒させることができる。
【００５２】
なお、この場合においても第１送風機２３からユーザの首元に向けて吹き付ける風の所定時間（約１０分）における平均風速が０．２ｍ／ｓ以上かつ０．３ｍ／ｓ以下の範囲であることが好ましい。また第２送風機２６からユーザの腰に向けて吹き付ける風の所定時間（約１０分）における平均風速が０．６ｍ／ｓ以上かつ０．７ｍ／ｓ以下の範囲であることが好ましい。
【００５３】
・上記実施形態の椅子１は、図１に示す椅子１の構成に限られず、任意に変更可能である。例えば、椅子１から肘掛部１３を省略してもよい。
・上記実施形態の椅子１は、第１送風機２３及び第２送風機２６が空間１５から椅子１の外部に露出しているが、空間１５の前面を布等で覆うことにより、第１送風機２３及び第２送風機２６が椅子１の外部に露出しないように構成してもよい。
【００５４】
・上記実施形態の椅子１において、空気調和機２０が背もたれ１１と一体に設けられる構成であってもよい。この場合、椅子１は、座部１０に対して背もたれを傾倒可能にするリクライニング機構を有してもよい。このリクライニング機構を用いて、例えば背もたれを倒すことにより、ユーザをリラックスした状態にすることができる。
【００５５】
・上記実施形態の椅子１において、座部１０、背もたれ１１、及び一対の肘掛部１３の少なくとも１つに加熱機構を有してもよい。加熱機構としては、電熱ヒータ、輻射熱発生器等を用いることができる。
【００５６】
・上記実施形態の空気調和機２０は、独立した送風機及び独立した配管によってユーザの首元及び腰に向けて風を吹き付けていたが、共通の送風機及び配管によってユーザの首元及び腰に向けて風を吹き付けてもよい。
【００５７】
・上記実施形態の空気調和機２０において、第１配管２４及び第２配管２７のそれぞれの内径は任意に変更可能である。本実施形態では、第１配管２４の内径と第２配管２７の内径とは互いに等しい。また一例では、本実施形態とは異なり、第２配管２７の内径が第１配管２４の内径よりも大きくてもよい。
【００５８】
・上記実施形態の空気調和機２０において、第１風向部２５及び第２風向部２８のそれぞれの内径は任意に変更可能である。本実施形態では、第１風向部２５及び第２風向部２８はそれぞれ送風方向において内径が概ね一定となる構成であるが、例えば第１風向部２５及び第２風向部２８の少なくとも一方は、その吐出口に向かうにつれて内径が大きくなるように構成されてもよい。
【００５９】
・上記実施形態において、椅子１から生体情報検出部３０を省略してもよい。
・上記実施形態において、第１風向部２５が右側風向部２５Ｒ及び左側風向部２５Ｌの２つの風向部を有していたが、風向部の数はこれに限定されない。風向部の数は１つでもよいし、３つ以上であってもよい。なお、第２風向部２８についても第１風向部２５と同様に変更することができる。
【００６０】
・上記実施形態では、空気調和機２０が椅子１に設けられたが、空気調和機２０の適用例はこれに限られない。例えば、空気調和機２０は衣服に設けられてもよい。
【符号の説明】
【００６１】
２０    空気調和機
２３    第１送風機（送風機）
２５    第１風向部（風向部）
２６    第２送風機（送風機）
２８    第２風向部（風向部）
【図１】
2019143954.tif 000003
【図２】
2019143954.tif 000004
【図３】
2019143954.tif 000005
【図４】
2019143954.tif 000006
【図５】
2019143954.tif 000007